(57)【要約】【課題】クールビズ対応のネクタイの結び方に適した装飾部材を提案すること。【解決手段】本発明のネクタイ装着部材は、襟のまわりに廻したネクタイを襟の前で１回ねじって、一方の端を前記ねじった部分の後ろからねじった部分を越して前方へ垂らして、他方の端の上に重ねた状態で、前記ねじった部分の下の位置に装着するネクタイ装着部材であって、ネクタイが二重に重ねられた部分を、前記ねじった部分より狭い幅に絞った状態で保持する保持手段を備えている。なお、前記ネクタイ装着部材は、通常のネクタイにも、通常より短いクールビズ対応のネクタイにも使用できる。【選択図】図１
2010042194.tif 000002
【特許請求の範囲】
【請求項１】
襟のまわりに廻したネクタイを襟の前で１回ねじって、一方の端を前記ねじった部分の後ろからねじった部分を越して前方へ垂らして、他方の端の上に重ねた状態で、前記ねじった部分の下の位置に装着するネクタイ装着部材であって、
ネクタイが二重に重ねられた部分を、前記ねじった部分より狭い幅に絞った状態で保持する保持手段を備えていることを特徴とするクールビズ対応のネクタイ装着部材。
【請求項２】
上部に結び部が形成され、下部には幅広の装飾布地部が形成された縦長のネクタイ状装飾部材と、
前記ネクタイ状装飾部材の前記結び部に装着されて、襟のまわりに巻廻し得る縮径可能な紐状の環状部材と、
前記ネクタイ状装飾部材における前記結び部と前記装飾布地部の間の部分を、前記結び部より狭い幅に絞った状態で保持する保持手段と
を備えていることを特徴とするクールビズ対応のネクタイ。
【請求項３】
前記結び部の内部には、
逆三角形状の上部形状部と、
前記上部形状部の下部の頂点部分に連設されて下部が広がった下部形状部と
が形成された形状具が配設されていることを特徴とする請求項２に記載のクールビズ対応のネクタイ。
【請求項４】
長さが７センチ以上１１センチ以下の装飾体の両端の少なくとも何れか一方の端には永久磁石を取り付け、この永久磁石を、他方の端に取り付けた磁性体に吸着させることによって、前記両端を着脱可能に連結し得るように構成したことを特徴とする請求項１に記載のネクタイ装着部材。
【請求項５】
巻バネを、前記装飾体の両端の少なくとも何れか一方の端に設けたことを特徴とする請求項４に記載のネクタイリング。
【請求項６】
前記ネクタイ装着部材は、
長さが７センチ以上１１センチ以下の装飾体の両端の少なくとも何れか一方の端には永久磁石を取り付け、この永久磁石を、他方の端に取り付けた磁性体に吸着させることによって、前記両端を着脱可能に連結し得るように構成されていることを特徴とする請求項２、３の何れか１項に記載のネクタイ。
【請求項７】
巻バネを、前記装飾体の両端の少なくとも何れか一方の端に設けたことを特徴とする請求項６に記載のネクタイ。
【発明の詳細な説明】
【技術分野】
【０００１】
本発明は、クールビズ対応のネクタイの締め方や、ネクタイ用の装飾部材に関するものである。
【背景技術】
【０００２】
近年においては、地球温暖化に関する問題意識が向上して、夏期におけるクールビズ対応の服装に感心が寄せられている。このクールビズとは、日本において夏期に環境省が中心となって行なわれる環境対策などを目的とした衣服の軽装化キャンペーン、ないしはその方向にそった軽装をいうものであって、種々のシャツやジャケットが提案されている。
また、ネクタイの結び目を緩めた場合には、だらしなく見えるおそれがあるので、結び目に相当する襟元部分に装着するが、例えば、特許文献１等にて提案されている。
【０００３】
【特許文献１】特開平１０−３３１０１３号公報
【発明の開示】
【発明が解決しようとする課題】
【０００４】
クールビズ対応として単にネクタイを緩めるだけでは、だらしなく見える場合があるので、クールビズ対応のネクタイの結び方に適した装飾部材が待望されていた。
【０００５】
そこで、本発明は、クールビズ対応のネクタイの結び方に適した装飾部材を提案するためになされたものである。
【課題を解決するための手段】
【０００６】
本発明の請求項１にかかるネクタイ装着部材は、
襟のまわりに廻したネクタイを襟の前で１回ねじって、一方の端を前記ねじった部分の後ろからねじった部分を越して前方へ垂らして、他方の端の上に重ねた状態で、前記ねじった部分の下の位置に装着するネクタイ装着部材であって、
ネクタイが二重に重ねられた部分を、前記ねじった部分より狭い幅に絞った状態で保持する保持手段を備えていることを特徴としている。
請求項２にかかるネクタイは、
上部に結び部が形成され、下部には幅広の装飾布地部が形成された縦長のネクタイ状装飾部材と、
前記ネクタイ状装飾部材の前記結び部に装着されて、襟のまわりに巻廻し得る縮径可能な紐状の環状部材と、
前記ネクタイ状装飾部材における前記結び部と前記装飾布地部の間の部分を、前記結び部より狭い幅に絞った状態で保持する保持手段と
を備えている。
請求項３のネクタイは、
前記結び部の内部には、
逆三角形状の上部形状部と、
前記上部形状部の下部の頂点部分に連設されて下部が広がった下部形状部と
が形成された形状具が配設されている。
請求項４のネクタイ装飾部材は、
長さが７センチ以上１１センチ以下の装飾体の両端の少なくとも何れか一方の端には永久磁石を取り付け、この永久磁石を、他方の端に取り付けた磁性体に吸着させることによって、前記両端を着脱可能に連結し得るように構成してある。
請求項５のネクタイ装飾部材は、
巻バネを、前記装飾体の両端の少なくとも何れか一方の端に設けたてある。
請求項６のネクタイでは、前記ネクタイ装着部材は、長さが７センチ以上１１センチ以下の装飾体の両端の少なくとも何れか一方の端には永久磁石を取り付け、この永久磁石を、他方の端に取り付けた磁性体に吸着させることによって、前記両端を着脱可能に連結し得るように構成されている。
請求項７のネクタイでは、
巻バネを、前記装飾体の両端の少なくとも何れか一方の端に設けてある。
【発明の効果】
【０００７】
本発明にかかるネクタイ装着部材は、
襟のまわりに廻したネクタイを襟の前で１回ねじって、一方の端を前記ねじった部分の後ろからねじった部分を越して前方へ垂らして、他方の端の上に重ねた状態で、前記ねじった部分の下の位置に装着するネクタイ装着部材であって、
ネクタイが二重に重ねられた部分を、前記ねじった部分より狭い幅に絞った状態で保持する保持手段を備えているので、クールビズ対応の結び方で結んだネクタイに装着したときに、襟元の美観が上品で優れたものとなる。
請求項２にかかるネクタイは、
上部に結び部が形成され、下部には幅広の装飾布地部が形成された縦長のネクタイ状装飾部材と、
前記ネクタイ状装飾部材の前記結び部に装着されて、襟のまわりに巻廻し得る縮径可能な紐状の環状部材と、
前記ネクタイ状装飾部材における前記結び部と前記装飾布地部の間の部分を、前記結び部より狭い幅に絞った状態で保持する保持手段と
を備えているので、
襟の大きさに応じて調節することが容易であるとともに、クールビズ対応の短いネクタイを使用したときにも、襟元の美観が上品で優れたものとなる。
請求項３のネクタイは、
前記結び部の内部には形状具が配設されているので、クールビズ対応の短いネクタイや、一般のネクタイをクールビズ対応の結び方で締めた場合の結び目の形状が所定の形状に保持されて乱れることを防止する。
請求項４のネクタイ装飾部材は、永久磁石によって着脱が容易であるので、クールビズ対応の短いネクタイの結び目や、一般のネクタイをクールビズ対応の結び方で締めた場合の結び目に容易に装着もしくは取り外しが可能となる。
請求項５のネクタイ装飾部材は、巻バネを備えているので、伸縮方向への緩衝作用が得られ、脱落防止効果や優れた装着性が得られる。
請求項６のネクタイでは、前記ネクタイ装着部材は、永久磁石によって着脱が容易であるので、クールビズ対応の短いネクタイの結び目に容易に装着もしくは取り外しが可能となる。
請求項７のネクタイでは、前記装飾体には巻バネを備えているので、伸縮方向への緩衝作用が得られ、脱落防止効果や優れた装着性が得られる。
なお、本発明は、クールビズ対応のネクタイおよびその結び方だけでなく、通常のネクタイおよびその結び方にも適用できることは言うまでもない。
【発明を実施するための最良の形態】
【０００８】
以下に、本発明にかかるネクタイ装着部材を、その実施の形態を示した図面に基づいて詳細に説明する。
図１には、クールビズ対応のネクタイの結び方を図示した。この結び方の場合には、市販の普通の長さのネクタイを使用することができる。
まず、図１（ａ）に示したように、襟のまわりに廻したネクタイ１を襟の前で１回ねじって、一方の端（幅の広い方）１１を前記ねじった部分１２の後ろからねじった部分１２を越して前方へ垂らして、図１（ｃ）に示したように、他方の端（幅の狭い方）１３の上に重ねる。なお、図１（ｂ）に示したような方法や、他の方法でねじってもよい。
この状態では、結んでいないので、襟元が締めつけられず、首周りは楽であるが、外観上、締まりがなくまとまらないという問題がある。
そこで、図１（ｄ）に示したように、本発明にかかるネクタイ装着部材２を用いて、前記ねじった部分１２のすぐ下であって、ネクタイ１の一方の端１１と他方の端１３とが二重に重ねられた部分を、前記ねじった部分より狭い幅に絞って、その状態で保持する。
【０００９】
このようにして、単にねじっただけのネクタイに、本発明にかかるネクタイ装着部材２を装着して、ネクタイを細く絞った部分を形成することによって、単にクールビズ対応であるだけでなく、装飾性にも優れた形態でネクタイを装着することができる。
【実施例１】
【００１０】
なお、前記ネクタイ装着部材２の形状は、着脱可能な環状のものや２重、３重のものでもよい。
前記ネクタイ装着部材２としては、図２に示したように、長さが、例えば７センチ以上１１センチ以下の２本の紐状もしくは鎖状の装飾体２１の両端に装飾性の優れた外装で小さな円柱状の永久磁石２２、２３を取り付け、これらの永久磁石２２、２３の吸着力によってネクタイを絞った状態で保持するように構成するとよい。
さらには、一方の端の永久磁石２２は、図６に示したような構造の巻バネ２４を介して前記一方の端に取り付けるとよい。なお、図６（ａ）に示した巻バネは、伸張型の巻バネであるが、図６（ｂ）に示したような圧縮型の巻バネでもよい。
図６（ａ）に示した巻バネ２４ａは、筒状のケース２４１ａの内部に、引っ張りバネ２４２ａを入れ、その両端に設けた接続リング２４３ａを用いて、一方は装飾体に接続し、他方は永久磁石に接続することができる。
前記ケース２４１ａの外径は約６ミリ、全長は約１２ミリとし、引っ張りしろとして両側合計で約８ミリを確保している。
【００１１】
図６（ｂ）に示した巻バネ２４ｂは、筒状のケース２４１ｂの内部に、圧縮バネ２４２ｂを入れ、その両端を圧縮円盤２４３ｂ，２４８ｂで挟み、一方の圧縮円盤２４３ｂの内側に連結した引っ張り棒２４４ｂを、前記圧縮バネ２４２ｂの内部を通して他端から突出させ、ここに接続リング２４５ｂを設け、他方の圧縮円盤２４８ｂは前記ケース２４１ｂに固定し、圧縮円盤２４８ｂに連結した引っ張り棒２４６ｂを、前記圧縮バネ２４２ｂの内部を通して他端から突出させ、ここに接続リング２４７ｂを設けた構造となっている。
前記ケース２４１ｂの外径は約６ミリ、全長は約１２ミリとし、圧縮巾として約８ミリを確保している。
上記何れのタイプの巻バネも、ケースは装飾性の優れたものとする。
【００１２】
このような巻バネ２４の弾性によって、前記ネクタイ装着部材２にかかる外力を緩衝させて、不用意に脱落することを防いだり、装着するときのショックを緩和することができる。
前記装飾体２１の長さは、７センチ以上１１センチ以下が適している。７センチ未満であると結び目に装着しにくくなり、１１センチを超えると長すぎて結び目を絞ることが難しくなる。
前記装飾体２１の両端に永久磁石２２、２３を取り付けたが、少なくとも何れか一方の端には永久磁石を取付け、他方の端には磁石ではなく、鉄、コバルト、もしくはニッケルなどの磁性体を取り付けて、前記永久磁石に吸着されるようにしてもよい。
また、前記巻バネは、前記装飾体２１の両端に設けてもよい。
【実施例２】
【００１３】
図４は、請求項２にかかるネクタイの構造を説明する斜視図である。
図示したように、このネクタイ３は、大きく分けると、
上部に結び部３１１が形成され、下部には幅広の装飾布地部３１２が形成された縦長のネクタイ状装飾部材３１と、
前記ネクタイ状装飾部材３１の前記結び部３１１に装着されて、襟のまわりに巻廻し得る縮径可能な紐状の環状部材３２と、
前記ネクタイ状装飾部材３１における前記結び部３１１と前記装飾布地部３１２の間の部分３１３を、前記結び部３１１より狭い幅に絞った状態で保持するネクタイ装着部材３３の３つの部材から構成されている。
【００１４】
前記環状部材３２は紐状になっており、その両端は、前記ネクタイ装着部材３３の両脇から前記状装飾部材３１に形成された挿通孔３１４に挿通されて、裏側から下へ引き出されている。
したがって、前記両端の何れか、もしくは両方を引くことによって、襟のまわりに巻回した状態でその径を縮径して、襟のサイズに合わせることができる。しかも、前記ネクタイ装着部材３３の裏側に垂れているので、正面からは見えず、外観上の問題もない。
【００１５】
前記ネクタイ装着部材３３の構造は、図２で説明した構造でもよい。
前記ネクタイ状装飾部材３１の長さは、図４に示したように、通常のネクタイを結んだ状態の長さより短くして、クールビズ対応とするとよい。
なお、図３に示したように、従来の長さの通常タイプのネクタイを上述したように結んで、前記ネクタイ装着部材２を装着してもよい。
【実施例３】
【００１６】
図５（ａ）は、前記ネクタイ状装飾部材３１の上部の結び部３１１の形状を安定させるために、結び部３１１の内部に配設するための形状具４の斜視図である。
この形状具４には、正面視で逆三角形状で、正面側へ盛り上がった上部形状部４１と、前記上部形状部４１の下部の頂点部分に細くなった連結部４２で連設されて下部が広がった下部形状部４３とが形成されている。
そして、前記上部形状部４１の盛り上がった部分の中央部にはネクタイの生地が入り込むスペースとなり得る縦溝４４が形成され、図５（ｂ）に示したように、前記前記上部形状部４１の裏側には、前記紐状の環状部材３２が挿通される横溝４５と縦溝４６とが形成されている。前記紐状の環状部材３２の両端は、前記縦溝４６を通って下へ引き出されている。
【図面の簡単な説明】
【００１７】
【図１】本発明にかかるネクタイ装着部材を用いたクールビズ対応のネクタイの締め方を説明する説明図である。
【図２】本発明にかかるネクタイ装着部材の実施例１の斜視図である。
【図３】本発明にかかるネクタイの斜視図である。
【図４】本発明にかかるネクタイの斜視図である。
【図５】本発明にかかる形状具の斜視図である。
【図６】本発明に用いる２種類の巻バネの断面図である。
【符号の説明】
【００１８】
１  ネクタイ
１１  一方の端（幅の広い方）
１２  ねじった部分
１３  他方の端（幅の狭い方）
２  ネクタイ装着部材
２１  装飾体
２２、２３  永久磁石
２４  巻バネ
２４ａ  巻バネ
２４１ａ  ケース
２４２ａ  引っ張りバネ
２４３ａ  接続リング
２４ｂ  巻バネ
２４１ｂ  ケース
２４２ｂ  圧縮バネ
２４３ｂ，２４８ｂ  圧縮円盤
２４５ｂ  接続リング
２４７ｂ  接続リング
３  ネクタイ
３１  ネクタイ状装飾部材
３１１  結び部
３１２  装飾布地部
３２  環状部材
３３  ネクタイ装着部材
４  形状具
４１  上部形状部
４２  連結部
４３  下部形状部
４４  縦溝
４５  裏の横溝
４６  裏の縦溝
【図１】
2010042194.tif 000003
【図２】
2010042194.tif 000004
【図３】
2010042194.tif 000005
【図４】
2010042194.tif 000006
【図５】
2010042194.tif 000007
【図６】
2010042194.tif 000008